(57)【要約】【課題】分散している仕事（作業）の結果を集約し、各端末に表示させる、業務支援システムに係る情報処理装置、情報処理装置を用いた方法、及び情報処理装置に手順を実行させるプログラムを提供する。【解決手段】ユーザから情報の入力を受け付ける複数の端末２と接続されているサーバ１であって、サーバ１は、一の端末２から入力情報を受信すると、接続されている他の端末２に受信した入力情報を出力し、各端末２の入力情報を端末２間で共有させる情報処理装置制御手段を有する構成とした。【選択図】図１
2019133443.tif 000002
【特許請求の範囲】
【請求項１】
ユーザから情報の入力を受け付ける複数の端末と接続されている情報処理装置であって、
当該情報処理装置は、
一の端末から入力情報を受信すると、接続されている他の端末に受信した入力情報を出力し、各端末の入力情報を端末間で共有させる情報処理装置制御手段を有することを特徴とする、情報処理装置。
【請求項２】
前記情報処理装置制御手段が、一の端末から入力情報を受信すると、接続されている他の端末のうち、予め指定された端末に対して当該入力情報を出力することを特徴とする、請求項１に記載の情報処理装置。
【請求項３】
前記情報処理装置制御手段は、各端末から同一の業務について入力された入力情報を前記端末間で共有させ、入力情報の一覧を各端末に表示させることを特徴とする、請求項１又は２に記載の情報処理装置。
【請求項４】
前記情報処理装置制御手段は、各端末から異なる業務について入力された入力情報を前記端末間で共有させ、入力情報の一覧を各端末に表示させることを特徴とする、請求項１又は２に記載の情報処理装置。
【請求項５】
前記入力情報が数値であって、
前記情報処理装置制御手段は、
一の端末から前記入力情報を受信すると、
予め設定された設定値又は予め設定された範囲と比較し、
差異がある場合には、受信した前記入力情報に、他の入力情報とは異なった態様で表示する旨を命令する差異表示命令を関連付け、
受信した前記入力情報及び前記差異表示命令を、前記一の端末と、前記他の端末あるいは前記予め指定された端末に出力することを特徴とする、請求項３又は４に記載の情報処理装置。
【請求項６】
前記入力情報が日時であって、
前記情報処理装置制御手段は、
一の端末から前記入力情報を受信すると、
予め設定された設定日時又は予め設定された設定日時の範囲と比較し、
前記入力情報が、前記設定日時又は前記設定日時の範囲を徒過している場合には、受信した前記入力情報に、他の入力情報とは異なった態様で表示する旨を命令する差異表示命令を関連付け、
受信した前記入力情報及び前記差異表示命令を、前記一の端末と、前記他の端末あるいは前記予め指定された端末に出力することを特徴とする、請求項３又は４に記載の情報処理装置。
【請求項７】
前記入力情報が、作業が完了していない旨の情報であって、
前記情報処理装置制御手段は、
一の端末から前記入力情報を受信すると、
現在日時を参照すると共に、予め設定された設定日時又は予め設定された設定日時の範囲と比較し、
現在日時が、前記設定日時又は前記設定日時の範囲を徒過している場合には、受信した前記入力情報に、他の入力情報とは異なった態様で表示する旨を命令する差異表示命令を関連付け、
受信した前記入力情報及び前記差異表示命令を、前記一の端末と、前記他の端末あるいは前記予め指定された端末に出力することを特徴とする、請求項３又は４に記載の情報処理装置。
【請求項８】
前記入力情報が日時であって、
前記情報処理装置制御手段は、
一の端末から前記入力情報を受信すると、
予め設定された設定日時又は予め設定された設定日時の範囲と比較し、
前記入力情報が、前記設定日時又は前記設定日時の範囲を徒過している場合には、前記入力情報に作業情報を付加して、前記他の端末あるいは前記予め指定された端末に出力すると共に、前記作業情報を前記一の端末に出力することを特徴とする、請求項３又は４に記載の情報処理装置。
【請求項９】
前記入力情報が、作業が完了していない旨の情報であって、
前記情報処理装置制御手段は、
一の端末から前記入力情報を受信すると、
現在日時を参照すると共に、予め設定された設定日時又は予め設定された設定日時の範囲と比較し、
現在日時が、前記設定日時又は前記設定日時の範囲を徒過している場合には、前記入力情報に作業情報を付加して、前記他の端末あるいは前記予め指定された端末に出力すると共に、前記作業情報を前記一の端末に出力することを特徴とする、請求項３又は４に記載の情報処理装置。
【請求項１０】
各端末から受信した前記入力情報を、通番情報に関連付けて記憶する端末入力情報記憶手段を有し、
前記情報処理装置制御手段が、
一の端末から前記入力情報を受信すると、当該入力情報に通番情報を番号が老いていくように、あるいは若くなっていくように付与し、
付与した通番情報に関連付けて、前記入力情報を前記端末入力情報記憶手段に記憶すると共に、
接続されている他の端末に、前記入力情報及び前記通番情報を出力し、
前記端末から通番情報を受信すると、当該通番情報より老いた又は若い通番情報に係る入力情報を、関連付けられた通番情報と共に当該端末に出力することを特徴とする、請求項１〜９のいずれかに記載の情報処理装置。
【請求項１１】
前記入力情報が日時であって、
各端末から受信した前記入力情報を、各端末を識別する端末識別情報に関連付けて記憶する端末入力情報記憶手段を有し、
前記情報処理装置制御手段は、
一の端末から前記入力情報を受信すると、
予め設定された設定日時又は予め設定された設定日時の範囲と比較し、
前記入力情報が、前記設定日時又は前記設定日時の範囲を徒過している場合には、前記端末入力情報記憶手段に記憶されている前記入力情報を参照し、
前記入力情報が、前記端末入力情報記憶手段に記憶されている前記他の端末に、作業情報を出力することを特徴とする、請求項３又は４に記載の情報処理装置。
【請求項１２】
前記入力情報が日時、又は作業が完了していない旨の情報であって、
各端末から受信した前記入力情報を、各端末を識別する端末識別情報に関連付けて記憶する端末入力情報記憶手段を有し、
前記情報処理装置制御手段は、
一の端末から作業が完了していない旨の前記入力情報を受信すると、
現在日時を参照すると共に、予め設定された設定日時又は予め設定された設定日時の範囲と比較し、
現在日時が、前記設定日時又は前記設定日時の範囲を徒過している場合には、前記端末入力情報記憶手段に記憶されている前記入力情報を参照し、前記入力情報として、日時が前記端末入力情報記憶手段に記憶されている前記他の端末に、作業情報を出力することを特徴とする、請求項３又は４に記載の情報処理装置。
【請求項１３】
前記情報処理装置制御手段が、
一の端末から前記入力情報を受信すると、当該入力情報に通番情報を番号が老いていくように、あるいは若くなっていくように付与し、
付与した通番情報及び前記端末識別情報に関連付けて、前記入力情報を前記端末入力情報記憶手段に記憶すると共に、
接続されている他の端末に、前記入力情報及び前記通番情報を出力し、
前記端末から通番情報を受信すると、当該通番情報より老いた又は若い通番情報に係る入力情報を、関連付けられた通番情報と共に当該端末に出力することを特徴とする、請求項１１又は１２に記載の情報処理装置。
【請求項１４】
情報処理装置を用いた方法であって、
当該情報処理装置は、
一の端末から入力情報を受信すると、接続されている他の端末に受信した入力情報を出力するステップと、
各端末の入力情報を端末間で共有させるステップと、を有することを特徴とする、方法。
【請求項１５】
情報処理装置に手順を実行させるプログラムであって、
当該情報処理装置に、
一の端末から入力情報を受信すると、接続されている他の端末に受信した入力情報を出力し、
各端末の入力情報を端末間で共有させる情報処理装置制御手段として機能させることを特徴とする、プログラム。
【発明の詳細な説明】
【技術分野】
【０００１】
本発明は、分散している仕事（作業）の結果を集約し表示させる、業務支援システムに関する。
【背景技術】
【０００２】
従来、複数人が別個に行った作業の結果をまとめて集約させるためには、各人の作業の結果を一つ一つ手入力して１枚のシート等に反映させる必要があった。
【０００３】
しかし、このような集計作業は煩雑である。また、集計作業が煩雑であるため、必ずしも集計結果が正確ではない場合もある。更に、手入力で集計作業を行うため時間がかかり、作業結果を、誤りなくタイムリーに反映させていくことは難しい。
【０００４】
また、大きなプロジェクトで、複数の各部門で別個に各人が作業を行っている場合、プロジェクトの全体の進捗状況の把握するのが難しい。
【０００５】
情報を共有するシステムとして、特許文献１では、プラントの制御室内に配置された大型の表示装置である、ＶＤＵ（＝visual display unit）に運転員等が行った作業結果が表示され、プラント内の複数の人間が作業結果の情報を共有することができる構成が開示されている。
【先行技術文献】
【特許文献】
【０００６】
【特許文献１】特開２０１６−０２４５９７号公報
【発明の概要】
【発明が解決しようとする課題】
【０００７】
しかしながら、上記特許文献１で開示されている構成では、運転員等の行った作業結果が、プラントの制御室内に配置されたＶＤＵに表示される構成であるため、制御室以外の場所にいる場合には、ＶＤＵに表示された内容を見ることができず、情報の共有ができない。
【０００８】
そこで本発明は、上記問題点に対処するため、分散している仕事（作業）の結果を集約し、各端末に表示させる、業務支援システムに係る情報処理装置、情報処理装置を用いた方法、及び情報処理装置に手順を実行させるプログラムを提供することを目的とする。
【課題を解決するための手段】
【０００９】
前記目的を達成するため、請求項１に係る発明は、
ユーザから情報の入力を受け付ける複数の端末と接続されている情報処理装置であって、
当該情報処理装置は、
一の端末から入力情報を受信すると、接続されている他の端末に受信した入力情報を出力し、各端末の入力情報を端末間で共有させる情報処理装置制御手段を有する、情報処理装置とした。
【００１０】
また、請求項２に係る発明は、
前記情報処理装置制御手段が、一の端末から入力情報を受信すると、接続されている他の端末のうち、予め指定された端末に対して当該入力情報を出力する、請求項１に記載の情報処理装置とした。
【００１１】
また、請求項３に係る発明は、
前記情報処理装置制御手段は、各端末から同一の業務について入力された入力情報を前記端末間で共有させ、入力情報の一覧を各端末に表示させる、請求項１又は２に記載の情報処理装置とした。
【００１２】
また、請求項４に係る発明は、
前記情報処理装置制御手段は、各端末から異なる業務について入力された入力情報を前記端末間で共有させ、入力情報の一覧を各端末に表示させる、請求項１又は２に記載の情報処理装置とした。
【００１３】
また、請求項５に係る発明は、
前記入力情報が数値であって、
前記情報処理装置制御手段は、
一の端末から前記入力情報を受信すると、
予め設定された設定値又は予め設定された範囲と比較し、
差異がある場合には、受信した前記入力情報に、他の入力情報とは異なった態様で表示する旨を命令する差異表示命令を関連付け、
受信した前記入力情報及び前記差異表示命令を、前記一の端末と、前記他の端末あるいは前記予め指定された端末に出力する、請求項３又は４に記載の情報処理装置とした。
【００１４】
また、請求項６に係る発明は、
前記入力情報が日時であって、
前記情報処理装置制御手段は、
一の端末から前記入力情報を受信すると、
予め設定された設定日時又は予め設定された設定日時の範囲と比較し、
前記入力情報が、前記設定日時又は前記設定日時の範囲を徒過している場合には、受信した前記入力情報に、他の入力情報とは異なった態様で表示する旨を命令する差異表示命令を関連付け、
受信した前記入力情報及び前記差異表示命令を、前記一の端末と、前記他の端末あるいは前記予め指定された端末に出力する、請求項３又は４に記載の情報処理装置とした。
【００１５】
また、請求項７に係る発明は、
前記入力情報が、作業が完了していない旨の情報であって、
前記情報処理装置制御手段は、
一の端末から前記入力情報を受信すると、
現在日時を参照すると共に、予め設定された設定日時又は予め設定された設定日時の範囲と比較し、
現在日時が、前記設定日時又は前記設定日時の範囲を徒過している場合には、受信した前記入力情報に、他の入力情報とは異なった態様で表示する旨を命令する差異表示命令を関連付け、
受信した前記入力情報及び前記差異表示命令を、前記一の端末と、前記他の端末あるいは前記予め指定された端末に出力する、請求項３又は４に記載の情報処理装置とした。
【００１６】
また、請求項８に係る発明は、
前記入力情報が日時であって、
前記情報処理装置制御手段は、
一の端末から前記入力情報を受信すると、
予め設定された設定日時又は予め設定された設定日時の範囲と比較し、
前記入力情報が、前記設定日時又は前記設定日時の範囲を徒過している場合には、前記入力情報に作業情報を付加して、前記他の端末あるいは前記予め指定された端末に出力すると共に、前記作業情報を前記一の端末に出力する、請求項３又は４に記載の情報処理装置とした。
【００１７】
また、請求項９に係る発明は、
前記入力情報が、作業が完了していない旨の情報であって、
前記情報処理装置制御手段は、
一の端末から前記入力情報を受信すると、
現在日時を参照すると共に、予め設定された設定日時又は予め設定された設定日時の範囲と比較し、
現在日時が、前記設定日時又は前記設定日時の範囲を徒過している場合には、前記入力情報に作業情報を付加して、前記他の端末あるいは前記予め指定された端末に出力すると共に、前記作業情報を前記一の端末に出力する、請求項３又は４に記載の情報処理装置とした。
【００１８】
また、請求項１０に係る発明は、
各端末から受信した前記入力情報を、通番情報に関連付けて記憶する端末入力情報記憶手段を有し、
前記情報処理装置制御手段が、
一の端末から前記入力情報を受信すると、当該入力情報に通番情報を番号が老いていくように、あるいは若くなっていくように付与し、
付与した通番情報に関連付けて、前記入力情報を前記端末入力情報記憶手段に記憶すると共に、
接続されている他の端末に、前記入力情報及び前記通番情報を出力し、
前記端末から通番情報を受信すると、当該通番情報より老いた又は若い通番情報に係る入力情報を、関連付けられた通番情報と共に当該端末に出力する、請求項１〜９のいずれかに記載の情報処理装置とした。
【００１９】
また、請求項１１に係る発明は、
前記入力情報が日時であって、
各端末から受信した前記入力情報を、各端末を識別する端末識別情報に関連付けて記憶する端末入力情報記憶手段を有し、
前記情報処理装置制御手段は、
一の端末から前記入力情報を受信すると、
予め設定された設定日時又は予め設定された設定日時の範囲と比較し、
前記入力情報が、前記設定日時又は前記設定日時の範囲を徒過している場合には、前記端末入力情報記憶手段に記憶されている前記入力情報を参照し、
前記入力情報が、前記端末入力情報記憶手段に記憶されている前記他の端末に、作業情報を出力する、請求項３又は４に記載の情報処理装置とした。
【００２０】
また、請求項１２に係る発明は、
前記入力情報が日時、又は作業が完了していない旨の情報であって、
各端末から受信した前記入力情報を、各端末を識別する端末識別情報に関連付けて記憶する端末入力情報記憶手段を有し、
前記情報処理装置制御手段は、
一の端末から作業が完了していない旨の前記入力情報を受信すると、
現在日時を参照すると共に、予め設定された設定日時又は予め設定された設定日時の範囲と比較し、
現在日時が、前記設定日時又は前記設定日時の範囲を徒過している場合には、前記端末入力情報記憶手段に記憶されている前記入力情報を参照し、前記入力情報として、日時が前記端末入力情報記憶手段に記憶されている前記他の端末に、作業情報を出力する、請求項３又は４に記載の情報処理装置とした。
【００２１】
また、請求項１３に係る発明は、
前記情報処理装置制御手段が、
一の端末から前記入力情報を受信すると、当該入力情報に通番情報を番号が老いていくように、あるいは若くなっていくように付与し、
付与した通番情報及び前記端末識別情報に関連付けて、前記入力情報を前記端末入力情報記憶手段に記憶すると共に、
接続されている他の端末に、前記入力情報及び前記通番情報を出力し、
前記端末から通番情報を受信すると、当該通番情報より老いた又は若い通番情報に係る入力情報を、関連付けられた通番情報と共に当該端末に出力する、請求項１１又は１２に記載の情報処理装置とした。
【００２２】
また、請求項１４に係る発明は、
情報処理装置を用いた方法であって、
当該情報処理装置は、
一の端末から入力情報を受信すると、接続されている他の端末に受信した入力情報を出力するステップと、
各端末の入力情報を端末間で共有させるステップと、を有する、方法とした。
【００２３】
また、請求項１５に係る発明は、
情報処理装置に手順を実行させるプログラムであって、
当該情報処理装置に、
一の端末から入力情報を受信すると、接続されている他の端末に受信した入力情報を出力し、
各端末の入力情報を端末間で共有させる情報処理装置制御手段として機能させる、プログラムとした。
【発明の効果】
【００２４】
本発明によれば、一の端末で、情報を更新すると、他の端末においても情報が更新される。そのため、分散している仕事（作業）の結果を、自動的に集約（共有）・表示させることができる。
【図面の簡単な説明】
【００２５】
【図１】本発明の実施の形態例１の業務支援システムの全体的な構成を例示的に示す図である。
【図２】本発明の実施の形態例１の業務支援システムのサーバの構成を例示的に示す図である。
【図３】本発明の実施の形態例１の業務支援システムに係るサーバの端末入力情報記憶領域の構造を模式的に示した図である。
【図４】本発明の実施の形態例１の業務支援システムの端末の構成を例示的に示す図である。
【図５】本発明の実施の形態例１の業務支援システムに係る端末の入力情報記憶領域の構造を模式的に示した図である。
【図６】本発明の実施の形態例１の業務支援システムが実行する処理の手順を示す流れ図である。
【図７】本発明の実施の形態例１の業務支援システムが実行する処理の手順を示す流れ図である。
【図８】本発明の実施の形態例１の業務支援システムの構成と、表計算アプリ「Microsoft Excel」（登録商標）の機能「ブックの共有」とを比較した比較図である。
【図９】本発明の他の実施の形態例の業務支援システムに係るサーバの端末共有情報記憶領域の構造を模式的に示した図である。
【図１０】本発明の他の実施の形態例の業務支援システムに係る端末の入力情報記憶領域の構造を模式的に示した図である。
【図１１】本発明の他の実施の形態例の業務支援システムが実行する処理の手順を示す流れ図である。
【図１２】本発明の他の実施の形態例の業務支援システムが実行する処理の手順を示す流れ図である。
【図１３】本発明の実施の形態例２の業務支援システムに係る端末の入力情報記憶領域の構造を模式的に示した図である。
【発明を実施するための形態】
【００２６】
以下、添付図面を参照して本発明に係る実施の形態例を詳細に説明する。ただし、この実施の形態例に記載されている構成要素はあくまでも例示であり、本発明の範囲をそれらのみに限定する趣旨のものではない。
【００２７】
＜実施の形態例１＞
図１は、本実施の形態例１に係る業務支援システムの全体的な構成を示した図である。
【００２８】
図１に示すように、本実施の形態例１の業務支援システムは、主としてサーバ１と端末２とから構成されている。サーバ１と端末２は、相互に情報の送受信が可能なように有線あるいは無線の、ネットワーク３で接続されており、例えば、ネットワーク３は、無線ＬＡＮ（＝Local Area Network）である。このネットワーク３上の通信プロトコルは、例えば、ＴＣＰ/ＩＰ（＝Transmission Control Protocol/Internet Protocol）等を採用することができる。
【００２９】
＜サーバ１の構成＞
サーバ１は、業務支援システムの全体を管理し、各端末２から出力された情報をコントロールする役割を果たす情報処理装置である。つまり、サーバ１は、一の端末２から送信されてきた情報を受信して、ネットワーク３で接続されたそれ以外の他の端末２に、受信した情報を出力する。
【００３０】
次に、サーバ１のハードウェア構成について、図２を参照して説明する。図２は、サーバ１のハードウェア構成を模式的に示した概念図である。
【００３１】
図2において、制御手段１１は、例えば、ＣＰＵ（＝Central Processing Unit）で実現され、後述する記憶手段１２に含まれるＨＤ（＝Hard Disk）等に格納されているアプリケーションプログラム、オペレーティングシステム（ＯＳ）や制御プログラム等を実行し、記憶手段１２に含まれるＲＡＭ（＝Random Access Memory）にプログラムの実行に必要な情報、ファイル等を一時的に格納する制御を行う。
【００３２】
特に、制御手段１１は、一の端末２から出力された入力情報及び端末識別情報を受信すると、通番情報（＝通し番号）を付与する。
【００３３】
そして制御手段１１は、図３に示すように、付与した通番情報、差異表示命令（関連付けられていた場合）及び受信した端末識別情報と同一の端末識別情報に関連付けて、受信した入力情報を記憶手段１２のＨＤ内の端末入力情報記憶領域１２１に記憶させる。
【００３４】
なお、制御手段１１が付与する通番情報は、本実施の形態例１では、例えば「Ａ０１、Ａ０２、Ａ０３、・・・」というように、番号が老いていく（大きくなっていく）ように付与する。
【００３５】
また、制御手段１１は、ネットワーク３で接続されている端末２のうち、入力情報を受信した一の端末２以外の他の端末２に、受信した入力情報を、付与した通番情報、端末識別情報、差異表示命令（関連付けられていた場合）と共に出力する。
【００３６】
また、制御手段１１は、端末２から通番情報と端末識別情報を受信すると、端末入力情報記憶領域１２１を参照する。そして、制御手段１１は、受信した通番情報より、老いた（大きい）番号に係る通番情報が在る場合には、当該通番情報と、当該通番情報に関連付けて記憶されている端末識別情報、入力情報、差異表示命令（関連付けられていた場合）を呼び出して、受信した通番情報に係る端末２に出力する。
【００３７】
記憶手段１２は、各種情報を一時記憶するためのものであり、制御手段１１の主メモリ、ワークエリア等として機能するＲＡＭや、内部に基本Ｉ／Ｏプログラム等のプログラム、基本処理において使用する各種情報を記憶するＲＯＭ（＝Read Only Memory）を有している。
【００３８】
記憶手段１２は、大容量メモリとして機能するＨＤ（＝Hard Disk）を有しており、このＨＤには、端末入力情報記憶領域１２１が設けられている。この端末入力情報記憶領域１２１には、図３に示すように、各端末２から受信した入力情報が、付与された通番情報、受信した端末識別情報と同一の端末識別情報及び差異表示命令（関連付けられていた場合）に関連付けられて記憶される。
【００３９】
なお、本実施の形態例１では、電線路の同一箇所の絶縁抵抗値を、所定の時間間隔で複数の作業者が計測し、その結果を各作業者が別個の端末２を使って入力した場合を想定している。
【００４０】
そのため図３では、例えば、端末識別情報（図３では、「端末ＩＤ」と示されている）「Ｔ００１」と、通番情報「Ａ０３」に関連付けられて、入力情報「２０１８年１月１０日９時１２分：０．４Ｍ（Ω）」が記憶される。また例えば、端末識別情報「Ｔ００５」、通番情報「Ａ０１」及び差異表示命令に関連付けられて、入力情報「２０１８年１月１０日７時１２分：０．８Ｍ（Ω）」が記憶される。
【００４１】
入力手段１３は、ユーザからサーバ１に対する情報や命令の入力を受け付ける、例えば、キーボード、タッチパネル、ボタンである。
【００４２】
表示手段１４は、例えば、液晶ディスプレイ、有機ELディスプレイ、ドットマトリクス型のディスプレイであり、入力手段１３から入力された命令や、それに対するサーバ１の応答出力等を表示するものである。
【００４３】
バス１６は、サーバ１内の情報の流れを司るものである。通信手段１５はインターフェイス（以下、Ｉ／Ｆという）であり、サーバ１は、この通信手段１５を介して端末２との情報のやり取りを行う。
【００４４】
なお、以上の各装置と同等の機能を実現するソフトウェアにより、ハードウェア装置の代替として構成することもできる。
【００４５】
＜端末２の構成＞
端末２は、ユーザを通じて直接入力された入力情報やサーバ１から受信した他の端末２に係る入力情報を表示・記憶する情報処理装置である。
端末２は、例えば、デスクトップ型のPC（＝Personal Computer）、ノートブック型のPC、タブレット型のPC、スマートフォン、PDA(＝Personal Digital Assistant)で実現される。
【００４６】
次に、端末２のハードウェア構成について、図４を参照して説明する。図４は、端末２のハードウェア構成を模式的に示した概念図である。
【００４７】
図４において、制御手段２１は、例えば、ＣＰＵ（＝Central Processing Unit）で実現され、後述する記憶手段２２に含まれるＨＤ（＝Hard Disk）等に格納されているアプリケーションプログラム、オペレーティングシステム（ＯＳ）や制御プログラム等を実行し、記憶手段２２に含まれるＲＡＭ（＝Random Access Memory）にプログラムの実行に必要な情報、ファイル等を一時的に格納する制御を行う。
【００４８】
特に、制御手段２１は、記憶手段２２に含まれるＨＤ等に格納されているアプリケーションプログラム（＝アプリ）「Microsoft Excel」（登録商標）等の表計算用のアプリを呼び出して、実行し、記憶手段２２に含まれるＲＡＭに表計算用のアプリの実行に必要な情報、ファイル等を一時的に格納する。
【００４９】
また、制御手段２１は、表計算用のアプリを呼び出して実行すると、入力情報記憶領域２２１を参照し、記憶されている通番情報のうち、最も老いたもの（大きいもの）を呼び出して、端末識別情報記憶領域２２２から呼び出した自身（端末２）を識別する端末識別情報と共に、サーバ１に出力する。
【００５０】
また、制御手段２１は、入力手段２３を通じて、ユーザから表計算用のアプリに対する情報の入力を受け付けると、計時手段２５を参照し、情報の入力を受け付けた現在日時を付加する。また、制御手段２１は、比較情報記憶領域２２３を参照し、ユーザによって入力された入力情報と予め設定された設定値とを比較する。その結果、入力情報と設定値との差異が、一定以上ある場合（例えば、本実施の形態例１では、設定値が「０．４Ｍ（Ω）」で、差異が０．３５Ｍ（Ω）以上ある場合）には、当該入力情報に、当該入力情報を他の入力情報とは異なった態様で表示する旨を命令する差異表示命令を関連付ける。
【００５１】
また、制御手段２１は、入力情報を表示手段２４上に表示させる。なお、当該入力情報に差異表示命令が関連付けられていた場合には、当該入力情報を、蛍光化して表示する、あるいは赤字で表示する等、他の入力情報とは異なった態様で表示する。また、当該入力情報及び差異表示命令（関連付けられていた場合）を記憶手段２２のＨＤ内に設けられている、入力情報記憶領域２２１に記憶させる。
【００５２】
また、制御手段２１は、当該入力情報及び差異表示命令（関連付けられていた場合）を、端末識別情報記憶領域２２２から呼び出した、自身（端末２）を識別する端末識別情報と共に、サーバ１に対し出力する。
【００５３】
また、制御手段２１は、自身以外の他の端末２を通じて入力された入力情報、当該他の端末２に係る端末識別情報、付与された通番情報及び差異表示命令（関連付けられていた場合）を、サーバ１から受信すると、当該入力情報を表示手段２４上に表示させる。なお、当該入力情報に差異表示命令が関連付けられていた場合には、当該入力情報を、他の入力情報とは異なった態様で表示させる。また、制御手段２１は、当該入力情報を当該端末識別情報、当該通番情報及び差異表示命令（関連付けられていた場合）に関連付けて、入力情報記憶領域２２１に記憶させる。
【００５４】
記憶手段２２は、各種情報を一時記憶するためのものであり、制御手段２１の主メモリ、ワークエリア等として機能するＲＡＭや、内部に基本Ｉ／Ｏプログラム等のプログラム、基本処理において使用する各種情報を記憶するＲＯＭ（＝Read Only Memory）を有している。
【００５５】
記憶手段２２は、大容量メモリとして機能するＨＤ（＝Hard Disk）を有しており、このＨＤには、入力情報記憶領域２２１、端末識別情報記憶領域２２２及び比較情報記憶領域２２３が設けられている。
【００５６】
入力情報記憶領域２２１には、図５に示すように、入力手段２３を通じて入力された入力情報が差異表示命令（関連付けられていた場合）と関連付けられて記憶される。また、この入力情報記憶領域２２１には、サーバ１から受信した他の端末２に係る入力情報が端末識別情報、通番情報、及び差異表示命令（関連付けられていた場合）と関連付けられて記憶される。
【００５７】
図５を用いて詳しく説明する。図５では、端末識別情報が「Ｔ００５」に係る端末２を例に挙げて、入力情報記憶領域２２１の構造を模式的に示している。まず、通番情報が関連付けられておらず、差異表示命令に関連付けられている、一番上の行の「２０１８年１月１０日７時１２分：０．８Ｍ（Ω）」は、入力手段２３を通じて入力された入力情報である。また、夫々端末識別情報及び通番情報が関連付けられている、二番目以降の行の「２０１８年１月１０日８時１２分：０．１Ｍ（Ω）」、「２０１８年１月１０日９時１２分：０．４Ｍ（Ω）」及び「２０１８年１月１０日１０時１２分：０．２Ｍ（Ω）」は、サーバ１から受信した他の端末２に（端末識別情報が「Ｔ００５」以外の端末２）係る入力情報である。
【００５８】
端末識別情報記憶領域２２２には、自身を識別する端末識別情報が記憶されている。
【００５９】
比較情報記憶領域２２３は、入力手段２３によって入力された入力情報と比較する比較情報が記憶されている。例えば、本実施の形態例１では、比較情報として「設定値：０．４Ｍ（Ω）」が記憶されている。この比較情報として使用される設定値は、例えば、前回の計測値の平均値、過去の計測値の平均値、計算上の理想値、安全上設定されたしきい値である。
【００６０】
入力手段２３は、ユーザから端末２に対する情報や命令の入力を受け付ける、例えば、キーボード、タッチパネル、ボタンである。
【００６１】
表示手段２４は、例えば、液晶ディスプレイ、有機ELディスプレイ、ドットマトリクス型のディスプレイであり、入力手段２３から入力された命令や、それに対する端末２の応答出力等を表示するものである。
【００６２】
計時手段２５は、現在日時を計時し、また時間を計測可能である。
【００６３】
バス２７は、端末２内の情報の流れを司るものである。通信手段２６はインターフェイス（以下、Ｉ／Ｆという）であり、端末２は、この通信手段２６を介してサーバ１との情報のやり取りを行う。
【００６４】
なお、以上の各装置と同等の機能を実現するソフトウェアにより、ハードウェア装置の代替として構成することもできる。
【００６５】
＜業務支援システムの処理の流れ＞
次に、本実施の形態例に係る業務支援システムの処理の流れについて説明する。ここで説明の便宜上、ユーザが使用している端末２（一の端末２）は、端末識別情報が「Ｔ００５」であり、当該端末２はそれ以外の各端末２（他の端末２）から、サーバ１を経由して、各端末２で入力された入力情報を受信する。
【００６６】
また、これから説明する業務支援システムの処理を実行する前提として、
表示手段２４上に表示された表計算用のアプリのアイコンをクリックする等して、ユーザは端末識別情報が「Ｔ００５」に係る端末２及びそれ以外の各端末２の入力手段２３を操作し、端末２に、表計算用のアプリを記憶手段２２から呼び出させ、表計算用アプリを実行（起動）させておく必要がある。
【００６７】
まずは、図６を用いて、ユーザが一の端末２に入力した入力情報を、それ以外の他の端末２に出力して共有させる処理の流れについて説明する。
【００６８】
一の端末２は、入力手段２３を通じて、ユーザから表計算用のアプリに対する情報の入力を受け付けると、計時手段２５を参照し、情報の入力を受け付けた現在日時を付加する（ステップＳ６０１）。また、一の端末２は、比較情報記憶領域２２３を参照し、ユーザによって入力された入力情報と予め設定された設定値とを比較する（ステップＳ６０２）。その結果、入力情報と設定値との差異が、一定以上ある場合には（ステップＳ６０３で「ＹＥＳ」）、当該入力情報に、当該入力情報を他の入力情報とは異なった態様で表示する旨を命令する差異表示命令を関連付ける（ステップＳ６０４）。
【００６９】
また、一の端末２は、当該入力情報を表示手段２４上に表示する。なお、当該入力情報に差異表示命令が関連付けられていた場合には、当該入力情報を、蛍光化して表示する、あるいは赤字で表示する等、他の入力情報とは異なった態様で表示する。また、当該入力情報及び差異表示命令（関連付けられた場合）を記憶手段２２のＨＤ内に設けられている、入力情報記憶領域２２１に記憶する（ステップＳ６０５）。また一の端末２は、当該入力情報及び差異表示命令（関連付けられた場合）を、端末識別情報記憶領域２２２から呼び出した、自身（端末２）を識別する端末識別情報「Ｔ００５」と共に、サーバ１に対し出力する（ステップＳ６０６）。
【００７０】
サーバ１は、端末識別情報「Ｔ００５」に係る端末２から、入力情報「2018年1月10日7時12分：０．８M（Ω）」、端末識別情報「Ｔ００５」及び差異表示命令（関連付けられていた場合）を受信すると、通番情報を付与する（ステップＳ６０７）。ここでは、図３に示すように、通番情報として「Ａ０１」を付与する。そしてサーバ１は、図３に示すように、付与した通番情報、差異表示命令（関連付けられていた場合）及び受信した端末識別情報と同一の端末識別情報に関連付けて、受信した入力情報を記憶手段１２のＨＤ内の端末入力情報記憶領域１２１に記憶する（ステップＳ６０８）。
【００７１】
サーバ１は、ネットワーク３で接続されている端末２のうち、入力情報を受信した、端末識別情報「Ｔ００５」に係る端末２（一の端末２）以外の各端末２（他の端末２）に、受信した端末識別情報、入力情報、差異表示命令（関連付けられていた場合）及び付与した通番情報を出力する（ステップＳ６０９）。
【００７２】
端末識別情報「Ｔ００５」に係る端末２以外の各端末２は、端末識別情報、入力情報、差異表示命令（関連付けられていた場合）及び通番情報を受信すると、当該入力情報を表示手段２４上に表示する。なお、当該入力情報に差異表示命令が関連付けられていた場合には、当該入力情報を、他の入力情報とは異なった態様で表示する。また、当該入力情報を、当該端末識別情報、差異表示命令（関連付けられていた場合）及び当該通番情報に関連付けて、記憶手段２２のＨＤ内に設けられている、入力情報記憶領域２２１に記憶する（ステップＳ６１０）。
【００７３】
なお、上述したステップＳ６０１〜ステップＳ６１０で示した処理の順番は、説明の便宜上のものであり、この順番に限定されるものではない。
【００７４】
例えば、一の端末２は、入力情報に現在日時を付加した上で（ステップＳ６０１）、差異表示命令を関連付ける（ステップＳ６０２〜ステップＳ６０４）構成を示したが、差異表示命令を関連付けた上で、現在日時を付加する構成としても良い。また、ステップＳ６０５あるいはステップＳ６１０において、一の端末２あるいはそれ以外の各端末２が、入力情報を、表示した上で記憶する構成を示したが、記憶した上で表示する構成としても良いし、表示と記憶を同時に行う構成としても良い。また、一の端末２は、入力手段２３を通じて、ユーザから表計算用のアプリに対する情報の入力を受け付けると、当該入力情報を記憶した上で（ステップＳ６０５）、サーバ１に出力する（ステップＳ６０６）構成を示したが、情報の入力を受け付けると、当該入力情報をサーバ１に出力した上で、記憶する構成としても良い。また、サーバ１は、受信した入力情報を記憶した上で（ステップＳ６０８）、当該入力情報を出力した一の端末２以外の各端末２に出力する（ステップＳ６０９）構成を示したが、サーバ１は、受信した入力情報を一の端末２以外の他の各端末２に出力した上で、記憶する構成としても良い。
【００７５】
ところで、端末識別情報「Ｔ００５」に係る端末２が、自身以外の各端末２から、サーバ１を通じて受信した入力情報、端末識別情報、通番情報及び差異表示命令（関連付けられていた場合）を、表示・記憶する処理については、上述したステップＳ６１０と同様であるため、説明を省略する。
【００７６】
このように本実施の形態例１に係る業務支援システムを用いることによって、一の端末２で、情報を更新すると、サーバ１を通じて接続されている、それ以外の他の端末２においても情報が更新される。そのため、分散している仕事（作業）の結果を、自動的に集約（共有）・表示させることができる。また、入力情報と設定値を比較して、差異が一定以上ある場合には、当該入力情報に差異表示命令を関連付け、当該入力情報を他の入力情報とは異なった態様で表示させる構成とすることよって、ユーザが当該入力情報の異常をいち早く把握することができ、便宜である。
【００７７】
次に、図７を用いて、ユーザが表計算用のアプリを終了させる等して、業務支援システムから途中退出させた端末２を再び参加させる処理の流れについて説明する。
【００７８】
ユーザは、表示手段２４に表示された表計算用のアプリをクリックする等して、端末２の入力手段２３を操作すると（ステップS７０１）、端末２は、表計算用のアプリを記憶手段２２から呼び出して、表計算用アプリを実行（起動）させる（ステップS７０２）。そして、端末２は、入力情報記憶領域２２１を参照し、記憶されている通番情報のうち、番号が最も老いたもの（大きいもの）を呼び出して、端末識別情報記憶領域２２２から呼び出した自身（端末２）を識別する端末識別情報と共に、サーバ１に出力する（ステップS７０３）。
【００７９】
サーバ１は、端末２から通番情報と端末識別情報を受信すると、端末入力情報記憶領域１２１を参照する（ステップS７０４）。そして、サーバ１は、受信した通番情報より、老いた（大きい）番号に係る通番情報が在る場合には（ステップS７０５で「ＹＥＳ」）、当該通番情報と、当該通番情報に関連付けて記憶されている端末識別情報、差異表示命令（関連付けられていた場合）及び入力情報を呼び出して、受信した通番情報に係る端末２に出力する（ステップS７０６）。
【００８０】
端末２は、入力情報、端末識別情報、通番情報、差異表示命令（関連付けられていた場合）を、サーバ１から受信すると、入力情報を表示手段２４上に表示させる。また、端末２は、当該入力情報を当該端末識別情報、当該通番情報及び差異表示命令（関連付けられていた場合）に関連付けて、入力情報記憶領域２２１に記憶する（ステップS７０７）。
【００８１】
このように本実施の形態例１に係る業務支援システムでは、各端末２は、業務支援システムから途中退出したり、途中から参加することも可能である。そして、途中から参加した場合であっても、他の端末２から入力された入力情報が表示・反映され、便宜である。
【００８２】
また、本実施の形態例１では、端末２において、「Microsoft Excel」（登録商標）等の表計算用のアプリを使って、端末２間で入力情報を共有する構成を示した。
【００８３】
図８の左側の欄に示すように、マイクロソフト社（Microsoft Corporation）の表計算アプリ「Microsoft Excel」（登録商標）は、元々、複数のシートから成るブック（ファイル）をネットワークで接続された複数の端末（＝情報処理装置）間で共有させる機能を有している。この「ブックの共有」の場合、一の端末に記憶されているブック（ファイル）の内容を他の端末から閲覧したり、他の端末から情報を入力・更新ができる。また、この「ブック共有」の場合、一の端末にマスターのブック（ファイル）があるだけであり、また、このブックへの入力情報の反映・変更は、ブック保存時、あるいは自動保存時に行われる。
【００８４】
一方、図８の右側の欄に示すように、本実施の形態例１に係る業務支援システムの場合、アプリケーション間通信で情報の共有を実現している。このため、共有する情報の設定や共有する端末２（グループ）の設定、その組合せ等が容易にできる。また、端末２毎に入力情報が記憶されているので、端末２毎に、表計算アプリの関数やアドインプログラムを利用することができる。更に、瞬時に一の端末２から入力された情報を他の端末２に共有・反映できるので、現場でのスケジュール管理や、判断が短時間に求められる業務への利用に適している。
【００８５】
＜変形例１＞
なお、本実施の形態例１では、一の端末２から入力情報等を受信すると、当該入力情報を、サーバ１を通じて接続されている、それ以外の他の端末２の全てに出力する構成を示したが、この構成に限定されるものではない。例えば、サーバ１の記憶手段１２のＨＤ内に、図９に示す端末共有情報記憶領域１２２を設ける。この端末共有情報記憶領域１２２には、各端末識別情報に対応して端末共有情報が記憶されている。端末共有情報は、受信した入力情報を、当該入力情報を出力した一の端末２以外の他の端末２に出力するか否か（図９では「入力情報出力」）、他の端末２から受信した入力情報を受信するか否か（図９では「入力情報受信」）を示すものである。
【００８６】
詳しくは例えば、端末識別情報「Ｔ００１」のように、「入力情報出力」が「×」で、「入力情報受信」が「○」の場合には、端末識別情報「Ｔ００１」に係る端末２から受信した入力情報は、それ以外の他の端末２に出力しない一方、他の端末２から受信した入力情報は、端末識別情報「Ｔ００１」に係る端末２には出力するということになる。また例えば、端末識別情報「Ｔ００２」や「Ｔ００５」のように、「入力情報出力」及び「入力情報受信」が「○」の場合には、端末識別情報「Ｔ００２」及び「T００５」に係る端末２から受信した入力情報は、それ以外の他の端末２に出力し、また、他の端末２から受信した入力情報は、端末識別情報「Ｔ００２」及び「T００５」に係る端末２に出力するということになる。更に例えば、端末識別情報「Ｔ００３」のように、「入力情報出力」が「○」で、「入力情報受信」が「×」の場合には、端末識別情報「Ｔ００３」に係る端末２から受信した入力情報は、それ以外の他の端末２に出力する一方、他の端末２から受信した入力情報は、端末識別情報「Ｔ００３」に係る端末２に出力しないということになる。
【００８７】
そのため、サーバ１の制御手段１１は、端末識別情報「Ｔ００１」に係る端末２から入力情報を受信すると、端末共有情報記憶領域１２２に記憶されている端末共有情報に基づいて、いずれの端末２にも出力しない。また、端末識別情報「Ｔ００２」に係る端末２から入力情報を受信すると、端末共有情報記憶領域１２２に記憶されている端末共有情報に基づいて、予め指定された端末識別情報「Ｔ００１」に係る端末２及び「Ｔ００５」に係る端末２に出力する。また、端末識別情報「Ｔ００３」に係る端末２から入力情報を受信すると、端末共有情報記憶領域１２２に記憶されている端末共有情報に基づいて、端末識別情報「Ｔ００１」、「Ｔ００２」及び「Ｔ００５」に係る端末２に出力する。また、端末識別情報「Ｔ００５」に係る端末２から入力情報を受信すると、端末共有情報記憶領域１２２に記憶されている端末共有情報に基づいて、予め指定された端末識別情報「Ｔ００１」及び「Ｔ００２」に係る端末２に出力する。
【００８８】
＜変形例２＞
本実施の形態例１では、上述したように、電線路の同一箇所の絶縁抵抗値を、所定の時間間隔で複数の作業者が計測し、その結果を各作業者が別個の端末２を使って入力した場合を例に挙げて、即ち、同一の業務（＝同一箇所の絶縁抵抗値の計測）を、複数の作業者が重複して行い、各作業者の計測結果を反映・共有する構成を示した。しかし、この構成に限定されるものではない。
【００８９】
例えば、図１０に示すように、東京都内４箇所の電線路の絶縁抵抗値を、複数の作業者が手分けして計測し、その結果を各作業者が別個の端末２を使って入力した場合のように、異なる業務（＝異なる箇所の絶縁抵抗値の計測）を、複数の作業者が夫々行い、各作業者の計測結果を集約・共有する構成としても良い。
【００９０】
＜変形例３＞
また、本実施の形態例１では、サーバ１が、各端末２から受信した入力情報に対し通番情報を、「Ａ０１、Ａ０２、Ａ０３、・・・」というように、番号が老いていく（大きくなっていく）ように付与する構成を示したが、この構成に限定されるものではない。例えば、「Ａ９９９、Ａ９９８、Ａ９９７・・・」というように、番号が若くなっていく（小さくなっていく）ように付与する構成としても良い。
【００９１】
このような構成の場合には、業務支援システムから途中退出し、再び参加した端末２は、入力情報記憶領域２２１を参照し、記憶されている通番情報のうち、最も若いもの（小さいもの）を呼び出して、端末識別情報記憶領域２２２から呼び出した自身（端末２）を識別する端末識別情報と共に、サーバ１に出力する。そして、サーバ１は、端末２から通番情報と端末識別情報を受信すると、端末入力情報記憶領域１２１を参照する。そして、サーバ１は、受信した通番情報より、若い（小さい）番号に係る通番情報が在る場合には、当該通番情報と、当該通番情報に関連付けて記憶されている端末識別情報、差異表示命令（関連付けられていた場合）及び入力情報を呼び出して、通番情報を受信した端末２に出力する。
【００９２】
また、例えば、業務支援システムから途中退出し、再び参加した端末２は、入力情報記憶領域２２１を参照し、記憶されている通番情報を全て呼び出して、端末識別情報記憶領域２２２から呼び出した自身（端末２）を識別する端末識別情報と共に、サーバ１に出力する。そして、サーバ１は、端末２から通番情報と端末識別情報を受信すると、端末入力情報記憶領域１２１を参照する。そして、サーバ１は、受信した通番情報に含まれていない、通番情報が在る場合には、当該通番情報と、当該通番情報に関連付けて記憶されている端末識別情報、差異表示命令（関連付けられていた場合）及び入力情報を呼び出して、通番情報を受信した端末２に出力する。
【００９３】
＜変形例４＞
また、本実施の形態例１では、端末２は、比較情報記憶領域２２３を参照し、ユーザによって入力された入力情報と予め設定された設定値とを比較し、入力情報と設定値との差異が、一定以上ある場合には、当該入力情報に、差異表示命令を関連付ける構成を示したが、この構成に限定されるものではない。例えば、入力情報と設定値とを比較し、差異がある場合には、当該入力情報に、差異表示命令を関連付ける構成としても良い。また、入力情報と予め設定された範囲とを比較し、入力情報と予め設定された範囲との差異が、一定以上ある場合には、当該入力情報に、差異表示命令を関連付ける構成や、入力情報と予め設定された範囲とを比較し、差異がある場合には、当該入力情報に、差異表示命令を関連付ける構成としても良い。
【００９４】
＜変形例５＞
また、本実施の形態例１では、端末２は、入力情報と設定値との差異が、一定以上ある場合には、当該入力情報に、当該入力情報を他の入力情報とは異なった態様で表示する旨を命令する差異表示命令を関連付ける構成を示したが、この構成に限定されるものではない。
【００９５】
例えば、端末２は、入力情報と設定値との差異が、一定以上ある場合には、当該入力情報に、警告を表示する旨を命令する警告表示命令を関連付ける構成としても良い。この場合、例えば「警告表示」は、入力情報に異常があることを示す文章や図形や音声である。そして、端末２は、警告表示命令が関連付けられた入力情報については、当該入力情報に警告情報を付加して表示手段２４上に表示する。あるいは当該入力情報を表示手段２４上に表示すると共に端末２に設けられたスピーカ等の音声出力手段（図示省略）で警告を発報する。
【００９６】
また例えば、ユーザから情報の入力を受け付けた一の端末２の制御手段２１は、入力情報と設定値とを比較し、差異が一定以上ある場合には、表示手段２４上に当該入力情報を、他の入力情報とは異なった態様で表示させる。そして、サーバ１を経由して一の端末２に係る入力情報を受信した、他の端末２の制御手段２１も、当該入力情報と設定値とを比較し、差異が一定以上ある場合には、表示手段２４上に当該入力情報を、他の入力情報とは異なった態様で表示させる構成としても良い。以下、詳しく説明する。
【００９７】
図１１に示すように、端末識別情報「Ｔ００５」に係る一の端末２は、入力手段２３を通じて、ユーザから表計算用のアプリに対する情報の入力を受け付けると、計時手段２５を参照し、情報の入力を受け付けた現在日時を付加する（ステップＳ１１０１）。また、一の端末２は、比較情報記憶領域２２３を参照し、ユーザによって入力された入力情報と予め設定された設定値とを比較する（ステップＳ１１０２）。その結果、入力情報と設定値との差異が、一定以上ある場合には（ステップＳ１１０３で「ＹＥＳ」）、当該入力情報を他の入力情報とは異なった態様で表示する（ステップＳ１１０４）。また、入力情報と設定値との差異がない、あるいは差異が一定より小さい場合には（ステップＳ１１０３で「ＮＯ」）、当該入力情報を他の入力情報と同様の態様で表示手段２４上に表示する（ステップＳ１１０５）。
【００９８】
また、一の端末２は、当該入力情報を記憶手段２２のＨＤ内に設けられている、入力情報記憶領域２２１に記憶する（ステップＳ１１０６）。また一の端末２は、当該入力情報を、端末識別情報記憶領域２２２から呼び出した、自身（端末２）を識別する端末識別情報（Ｔ００５）と共に、サーバ１に対し出力する（ステップＳ１１０７）。
【００９９】
サーバ１は、端末識別情報「Ｔ００５」に係る一の端末２から、入力情報「2018年1月10日7時12分：０．８M（Ω）」及び端末識別情報「Ｔ００５」を受信すると、通番情報「Ａ０１」を付与する（ステップＳ１１０８）。そしてサーバ１は、付与した通番情報及び受信した端末識別情報と同一の端末識別情報に関連付けて、受信した入力情報を記憶手段１２のＨＤ内の端末入力情報記憶領域１２１に記憶する（ステップＳ１１０９）。サーバ１は、ネットワーク３で接続されている端末２のうち、入力情報を受信した、端末識別情報「Ｔ００５」に係る一の端末２以外の各端末２（他の端末２）に、受信した端末識別情報、入力情報及び付与した通番情報を出力する（ステップＳ１１１０）。
【０１００】
端末識別情報「Ｔ００５」に係る一の端末２以外の各端末２（他の端末２）は、端末識別情報、入力情報及び通番情報を受信すると、比較情報記憶領域２２３を参照し、ユーザによって入力された入力情報と予め設定された設定値とを比較する（ステップＳ１１１１）。その結果、入力情報と設定値との差異が、一定以上ある場合には（ステップＳ１１１２で「ＹＥＳ」）、当該入力情報を他の入力情報とは異なった態様で表示する（ステップＳ１１１３）。また、入力情報と設定値との差異がない、あるいは差異が一定より小さい場合には（ステップＳ１１１２で「ＮＯ」）、当該入力情報を他の入力情報と同様の態様で表示手段２４上に表示する（ステップＳ１１１４）。また、当該入力情報を、当該端末識別情報及び当該通番情報に関連付けて、記憶手段２２のＨＤ内に設けられている、入力情報記憶領域２２１に記憶する（ステップＳ１１１５）。
【０１０１】
即ち、この構成では、ユーザから情報の入力を受け付けた一の端末２だけでなく、当該入力情報を受信した他の端末２も入力情報と設定値とを比較し、当該入力情報と設定値との差異が一定以上ある場合には、表示手段２４上に当該入力情報を、他の入力情報とは異なった態様で表示させるため、差異表示命令に関する処理を行う必要がない。
【０１０２】
本実施の形態例１や上述した変形例では、情報の入力を受け付けた一の端末２が、当該入力情報と設定値を比較する、あるいは、入力情報を受信した他の端末２が、当該入力情報と設定値を比較する構成を示した。
【０１０３】
しかし、このように端末２が入力情報と設定値を比較する構成ではなく、サーバ１が一の端末２から受信した入力情報と設定値とを比較し、当該入力情報と設定値との差異が、一定以上ある場合には、当該入力情報に、当該入力情報を他の入力情報とは異なった態様で表示する旨を命令する差異表示命令を関連付け、一の端末２及び他の端末２に、当該入力情報及び差異表示命令等を出力する構成としても良い。
【０１０４】
以下、詳しく説明する。サーバ１には、上述した端末２の比較情報記憶領域２２３と同様の比較情報記憶領域（図示省略）が設けられている。つまり、比較情報記憶領域には、一の端末２から受信した入力情報と比較する比較情報が記憶されている。
【０１０５】
図１２に示すように、端末識別情報「Ｔ００５」に係る一の端末２は、入力手段２３を通じて、ユーザから表計算用のアプリに対する情報の入力を受け付けると、計時手段２５を参照し、情報の入力を受け付けた現在日時を付加する（ステップＳ１２０１）。また、一の端末２は、当該入力情報を表示手段２４上に表示する。また、当該入力情報を、記憶手段２２のＨＤ内に設けられている、入力情報記憶領域２２１に記憶する（ステップＳ１２０２）。また一の端末２は、当該入力情報を、端末識別情報記憶領域２２２から呼び出した、自身（一の端末２）を識別する端末識別情報（Ｔ００５）と共に、サーバ１に対し出力する（ステップＳ１２０３）。
【０１０６】
サーバ１は、端末識別情報「Ｔ００５」に係る一の端末２から、入力情報「2018年1月10日7時12分：０．８M（Ω）」、端末識別情報「Ｔ００５」を受信すると、通番情報「Ａ０１」を付与する（ステップＳ１２０４）。また、サーバ１は、比較情報記憶領域を参照し、受信した入力情報と予め設定された設定値とを比較する（ステップＳ１２０５）。その結果、当該入力情報と設定値との差異が、一定以上ある場合には（ステップＳ１２０６で「ＹＥＳ」）、当該入力情報に、当該入力情報を他の入力情報とは異なった態様で表示する旨を命令する差異表示命令を関連付ける（ステップＳ１２０７）。そしてサーバ１は、付与した通番情報、差異表示命令（関連付けた場合）及び受信した端末識別情報と同一の端末識別情報に関連付けて、受信した入力情報を記憶手段１２のＨＤ内の端末入力情報記憶領域１２１に記憶する（ステップＳ１２０８）。
【０１０７】
サーバ１は、端末識別情報「Ｔ００５」に係る一の端末２及びネットワーク３で接続されているそれ以外の各端末２（他の端末２）に、端末識別情報、入力情報、差異表示命令（関連付けた場合）及び付与した通番情報を出力する（ステップＳ１２０９）。
【０１０８】
端末識別情報「Ｔ００５」に係る一の端末２を含む、各端末２は、端末識別情報、入力情報、差異表示命令（関連付けられていた場合）及び通番情報を受信すると、当該入力情報を表示手段２４上に表示する。なお、当該入力情報に差異表示命令が関連付けられていた場合には、当該入力情報を、他の入力情報とは異なった態様で表示する。また、当該入力情報を、当該端末識別情報、差異表示命令（関連付けられていた場合）及び当該通番情報に関連付けて、記憶手段２２のＨＤ内に設けられている、入力情報記憶領域２２１に記憶する（ステップＳ１２１０）。なお、端末識別情報「Ｔ００５」に係る一の端末２については、受信した入力情報と同一の入力情報が既に記憶されているが、当該入力情報の上から、受信した入力情報を、当該端末識別情報、差異表示命令（関連付けられていた場合）及び当該通番情報に関連付けて記憶する。
【０１０９】
＜変形例６＞
また、本実施の形態例１では、記憶手段２２に格納されている表計算用のアプリを用いて、各端末２から入力された入力情報を端末２間で共有させる構成を示した。しかし、この構成に限定されるものではない。例えば、表計算用のアプリの代わりに、「Auto CAD」（登録商標）等の描画ソフト、「Microsoft Word」（登録商標）等の文書作成ソフト、あるいは「Microsoft Power Point」（登録商標）等のプレゼンテーションソフトを用いる構成としても良い。
【０１１０】
＜実施の形態例２＞
上述した本実施の形態例１では、電線路の同一箇所の絶縁抵抗値を、所定の時間間隔で複数の作業者が計測し、その結果を各作業者が別個の端末２を使って入力した場合を示した。即ち、本実施の形態例１では、計測結果という数値情報を、入力情報として用いる構成を示した。
【０１１１】
以下の実施の形態例２では、異なる業務（例えば、大きなプロジェクトで複数の部署に分かれて一斉に作業を行う場合）を複数人が分担して行い、各人の作業状況を随時業務支援システムに反映させて、プロジェクト全体の進捗状況の可視化を図る構成について説明する。
【０１１２】
なお、以下の実施の形態例２については、上述した実施の形態例１と異なる構成について説明し、同様の構成や同様の変形例については、説明を省略する。
【０１１３】
図１３は、本発明の実施の形態例２の業務支援システムに係る端末の入力情報記憶領域２２１の構造を模式的に示している。
【０１１４】
図１３では、システムのプログラムの各箇所を、夫々の部署が担当して、一斉に作業を行っている状態を想定している。各部署は、夫々端末２を所持しており、作業が段階的に完了する毎に、その完了日時（日時情報）を端末２から入力する。あるいは、各部署は、担当する作業が遅れている場合、作業が完了していない旨の情報を端末２から入力する。
【０１１５】
このように業務支援システムを用いることによって、各部署が端末２を用いて、自身の作業の進捗状況を入力すると、サーバ１を通じて接続されている、それ以外の他の端末２においても情報が反映される。そのため、プロジェクト全体の進捗状況が、自動的に集約（共有）・表示され、進捗状況の可視化を図ることができる。
【０１１６】
また、端末２の比較情報記憶領域２２３には、比較情報として、各段階の作業の完了の想定日時（日時情報）が記憶されている。例えば、「要件定義：２０１７年７月３１日」、「設計：２０１７年１０月３１日」、「作成：２０１７年１２月３１日」、「テスト：２０１８年２月２８日」と日時情報が記憶されている。
【０１１７】
端末２の制御手段２１は、入力手段２３を通じて、ユーザから作業完了に係る日時情報の入力を受け付けると、比較情報記憶領域２２３を参照し、ユーザによって入力された入力情報と、予め設定された作業完了の想定日時とを比較する。その結果、入力情報が作業完了の想定日時を徒過している場合には、当該入力情報に、当該入力情報を他の入力情報とは異なった態様で表示する旨を命令する差異表示命令を関連付ける。
【０１１８】
例えば、「作成」の作業完了の想定日時は「２０１７年１２月３１日」である。一方、端末識別情報「Ｔ００２」に係る、「作成」の作業完了に係る入力情報は、「２０１８年１月１０日」である。このような場合、制御手段２１は、入力情報が作業完了の想定日時を徒過しているため、当該入力情報に差異表示命令を関連付ける。
【０１１９】
また端末２の制御手段２１は、入力手段２３を通じて、ユーザから作業が完了していない旨の情報の入力を受け付けると、計時手段２５及び比較情報記憶領域２２３を参照し、現在日時と、予め設定された作業完了の想定日時とを比較する。その結果、現在日時が作業完了の想定日時を徒過している場合には、当該入力情報に、当該入力情報を他の入力情報とは異なった態様で表示する旨を命令する差異表示命令を関連付ける。
【０１２０】
例えば、「作成」の作業完了の想定日時は「２０１７年１２月３１日」である。一方、端末識別情報「Ｔ００１」に係る「作成」について、「未完了」である旨の情報の入力を「２０１８年１月１１日」に受け付けた場合、制御手段２１は、作業が完了していない旨の情報の入力を受け付けた現在日時が作業完了の想定日時を徒過しているため、当該入力情報に差異表示命令を関連付ける。
【０１２１】
＜変形例７＞
なお、本実施の形態例１の変形例５で上述した、警告を表示する旨を命令する警告表示命令を関連付ける構成を、本実施の形態例２において適用し、入力情報（日時情報）が作業完了の想定日時を徒過している場合、あるいはユーザから作業が完了していない旨の情報の入力を受け付けた現在日時が作業完了の想定日時を徒過している場合に、当該入力情報に、警告表示命令を関連付ける構成としても良い。
【０１２２】
また、本実施の形態例１の変形例５及び図１１で上述した、ユーザから情報の入力を受け付けた一の端末２が、入力情報と設定値とを比較し、差異が一定以上ある場合には、当該入力情報を、他の入力情報とは異なった態様で表示させる。そして、サーバ１を経由して一の端末２に係る入力情報を受信した、他の端末２も、当該入力情報と設定値とを比較し、差異が一定以上ある場合には、当該入力情報を、他の入力情報とは異なった態様で表示させる構成を、本実施の形態例２において適用する。即ち、一の端末２が、入力情報（日時情報）と予め設定された作業完了の想定日時とを比較し、入力情報が作業完了の想定日時を徒過している場合、あるいはユーザから作業が完了していない旨の情報の入力を受け付けた現在日時が作業完了の想定日時を徒過している場合に、当該入力情報を、他の入力情報とは異なった態様で表示させる。そして、サーバ１を経由して一の端末２に係る入力情報を受信した、他の端末２も、当該入力情報（日時情報）と予め設定された作業完了の想定日時とを比較し、当該入力情報が作業完了の想定日時を徒過している場合、あるいはユーザから作業が完了していない旨の情報の入力を受け付けた現在日時が作業完了の想定日時を徒過している場合には、当該入力情報を、他の入力情報とは異なった態様で表示させる構成としても良い。
【０１２３】
また、本実施の形態例１の変形例５及び図１２で上述した、サーバ１が一の端末２から受信した入力情報と設定値とを比較し、当該入力情報と設定値との差異が一定以上ある場合に、当該入力情報に、差異表示命令を関連付け、一の端末２及び他の端末２に、当該入力情報及び当該差異表示命令等を出力する構成を、本実施の形態例２において適用する。即ち、サーバ１が一の端末２から受信した入力情報（日時情報）と予め設定された作業完了の想定日時とを比較し、当該入力情報が作業完了の想定日時を徒過している場合、あるいはユーザから作業が完了していない旨の情報の入力を受け付けた現在日時が作業完了の想定日時を徒過している場合に、当該入力情報に、差異表示命令を関連付け、一の端末２及び他の端末２に、当該入力情報及び当該差異表示命令等を出力する構成としても良い。なお、この場合には、現在日時を計時し、また時間を計測可能な計時手段（図示省略）をサーバ１が有している必要がある。
【０１２４】
＜変形例８＞
上述した本実施の形態例２では、ユーザによって入力された入力情報（日時情報）と、予め設定された作業完了の想定日時とを比較し、入力情報が作業完了の想定日時を徒過している場合には、当該入力情報に差異表示命令を関連付ける構成を示した。また、ユーザから作業が完了していない旨の情報の入力を受け付けた現在日時と、予め設定された作業完了の想定日時とを比較し、現在日時が作業完了の想定日時を徒過している場合には、当該入力情報に、差異表示命令を関連付ける構成を示した。しかし、これらの構成に限定されるものではない。
【０１２５】
サーバ１の記憶手段１２のＨＤ内に作業情報記憶領域（図示省略）が設けられ、この作業情報記憶領域には、作業情報として、作業が遅れた場合の作業スケジュールが記憶されている。
【０１２６】
ユーザによって入力された入力情報（日時情報）と、予め設定された作業完了の想定日時とを比較し、入力情報が作業完了の想定日時を徒過している場合、あるいは、ユーザから作業が完了していない旨の情報の入力を受け付けた現在日時と、予め設定された作業完了の想定日時とを比較し、現在日時が作業完了の想定日時を徒過している場合には、作業が遅れた場合の作業スケジュールである作業情報を付加して、当該入力情報の入力を受け付けた端末２以外の他の端末２に、当該入力情報及び作業情報を出力する。また、当該入力情報の入力を受け付けた端末２に、作業情報を出力する。
【０１２７】
このように、サーバ１が、一の端末２からの入力情報によって、特定の部署等で作業が遅れている旨を認識した場合、当該入力情報の入力を受け付けた一の端末２を含めた全ての端末２に対し、作業が遅れた場合の作業スケジュールを自動的に出力・配布する構成であるため、スケジュールの変更が自動的にでき、便宜である。
【０１２８】
この変形例の更なる変形例として、遅れの期間及び遅れの理由に対応して複数パターンの作業スケジュールが、作業情報記憶領域に記憶されている。そして、サーバ１は、想定日時を徒過している期間や、端末２から受信した遅れの理由に応じた作業スケジュールを作業情報記憶領域から呼び出して、各端末２に出力する構成としても良い。
【０１２９】
＜変形例９＞
また、上述した変形例８は、作業情報として、作業が遅れた場合のスケジュールを用いる構成を示したが、変形例９では、作業情報として、支援情報を用いる構成について説明する。
【０１３０】
サーバ１の記憶手段２２のＨＤ内の作業情報記憶領域には、作業情報として、他の部署等を支援する支援内容が記憶されている。
【０１３１】
ユーザによって入力された入力情報（日時情報）と、予め設定された作業完了の想定日時とを比較し、入力情報が作業完了の想定日時を徒過している場合、あるいは、ユーザから作業が完了していない旨の情報の入力を受け付けた現在日時と、予め設定された作業完了の想定日時とを比較し、現在日時が作業完了の想定日時を徒過している場合には、端末入力情報記憶領域１２１内の、各端末識別情報に関連付けられた作業の完了日時（日時情報）を参照し、最も早い完了日時を見つけると、当該完了日時に関連付けられた端末識別情報に係る端末２に、作業情報を出力する。なお、この変形例９では、最も早い完了日時が入力された端末２のみ、支援内容が含まれる作業情報を出力する構成を示したが、この構成は便宜的なものであって、例えば、最も早い完了日時が入力された端末２だけでなく、２番目、３番目に早い完了日時が入力された端末２にも作業情報を出力する構成としても良い。
【０１３２】
あるいは、端末入力情報記憶領域１２１内の、各端末識別情報に関連付けられた作業の完了日時（日時情報）を参照し、作業の完了日時（日時情報）が記憶されていることを認識すると、当該完了日時に関連付けられた端末識別情報に係る端末２に、支援内容が含まれる作業情報を出力する構成としても良い。即ち、端末入力情報記憶領域１２１内に、作業の完了日時（日時情報）が記憶されている全ての端末２に作業情報が出力される。
【０１３３】
また、完了日時が入力された端末２の中から、作業が完了していない旨の情報の入力を受け付けた端末２と、距離が最も近い端末２に支援内容が含まれる作業情報を出力する構成としても良い。
【０１３４】
この構成について、以下、詳しく説明する。各端末２は、GPS受信機を有する。そして、各端末２は自身の位置を認識し、定期的に位置情報を自身の端末識別情報と共に、サーバ１に出力する。サーバ１は、端末入力情報記憶領域１２１に各端末２の位置情報を、受信した端末識別情報と同一の端末識別情報に関連付けて記憶する。
【０１３５】
作業が完了していない旨の情報の入力を受け付けた端末２から入力情報を受信すると、サーバ１は当該端末２の位置情報を認識し、当該位置情報に最も近い位置情報に関連付けられた端末識別情報に係る端末２に作業情報を出力する。
【０１３６】
このように、サーバ１が、一の端末２からの入力情報によって、特定の部署等で作業が遅れている旨を認識した場合、既に自身の作業が完了している、作業が順調に進んでいる部署、あるいは近い距離にいる部署等の端末２に作業情報を出力して支援を要請する構成であるため、全体として効率的に作業を進めることができ、便宜である。
【符号の説明】
【０１３７】
１：サーバ、１１：制御手段、１２：記憶手段、１２１：端末入力情報記憶領域、１２２：端末共有情報記憶領域、１３：入力手段、１４：表示手段、１５：通信手段、１６：バス、
２：端末、２１：制御手段、２２：記憶手段、２２１：入力情報記憶領域、２２２：端末識別情報記憶領域、２２３：比較情報記憶領域、２３：入力手段、２４：表示手段、２５：計時手段、２６：通信手段、２７：バス
【図１】
2019133443.tif 000003
【図２】
2019133443.tif 000004
【図３】
2019133443.tif 000005
【図４】
2019133443.tif 000006
【図５】
2019133443.tif 000007
【図６】
2019133443.tif 000008
【図７】
2019133443.tif 000009
【図８】
2019133443.tif 000010
【図９】
2019133443.tif 000011
【図１０】
2019133443.tif 000012
【図１１】
2019133443.tif 000013
【図１２】
2019133443.tif 000014
【図１３】
2019133443.tif 000015